(57)【要約】【課題】  キャビネットの背板の裏側に形成された狭いスペースに複数本の配管を整然と保持することができると共に、キャビネットの収納容量をより大きくすることができ、しかも、一つの配管保持具で複数本の配管を固定することで、配管の固定作業を短時間で簡単に行うことができ、この種の作業性が大幅に改善できる配管保持具を提供する。【解決手段】  キャビネットの背板の裏側に導かれた複数本の配管を固定する配管保持具であって、該配管保持具は、複数本の配管を縦方向に束ねて保持する複数の保持部を有して構成した。そして、保持部は、垂直方向に少なくとも３連以上形成し、或は、複数本の配管を、クローバ形状、或は四角形状を含む多角形状に束ねて保持することが可能となるように構成した。【選択図】図１
2007009978.tif 000002
【特許請求の範囲】
【請求項１】
キャビネットの背板の裏側に導かれた複数本の配管を固定する配管保持具であって、該配管保持具は、複数本の配管を縦方向に束ねて保持する複数の保持部を有して構成されていることを特徴とする配管保持具。
【請求項２】
前記配管保持具は、垂直方向に少なくとも３連以上形成されていることを特徴とする請求項１に記載の配管保持具。
【請求項３】
前記配管保持具は、保持部が複数本の配管をクローバ形状に束ねて保持することが可能に構成されていることを特徴とする請求項１に記載の配管保持具。
【請求項４】
前記配管保持具は、保持部が複数本の配管を、四角形状を含む多角形状に束ねて保持することが可能に構成されていることを特徴とする請求項１に記載の配管保持具。
【請求項５】
前記配管保持具の保持部内周面には、クッション材が配設されていることを特徴とする請求項１乃至請求項４のいずれかに記載の配管保持具。
【請求項６】
前記配管保持具の各保持部間には、所要のクリアランスが形成されていることを特徴とする請求項１乃至請求項５のいずれかに記載の配管保持具。
【請求項７】
前記配管保持具は、前記キャビネットの背板の裏側に形成されたスペースの床面に水平方向に回転自在な台座に固着されることを特徴とする請求項１乃至請求項６のいずれかに記載の配管保持具。
【発明の詳細な説明】
【技術分野】
【０００１】
この発明は、流し台や洗面台等の配管に用いられる保持具に係り、特に、狭いスペースでも簡単に配管することができ、しかも、キャビネットの収納部の容量を大きくすることができる配管保持具に関する。
【背景技術】
【０００２】
周知のように、流し台や洗面台等のキャビネットでは、給水管や給湯管及び排水管等、複数の配管を、水栓や排水口に連通接続しなければならず、図５と図６に示すように、これらの配管Ｈ，Ｈ，Ｈは、一般的には、キャビネットＫの背板１の裏側に形成された非常に狭いスペースＳに固定具２を用いて固定されているのが現状である。
【０００３】
このような固定具として、従来では、例えば、特許文献１に示すような正面形状が略Ω状の固定具が用いられている。
【０００４】
【特許文献１】特開２００２−１１５２９３号公報
【発明の開示】
【発明が解決しようとする課題】
【０００５】
しかしながら、上記従来の固定具２では、配管を１本づつしか固定することができないため、上記狭いスペースＳに複数本の配管Ｈを固定する場合には、配管Ｈが重なり合わないように夫々の配管Ｈを所定の位置に固定することが非常に難しく、また、非常に狭いスペースに並べて固定するため、配管Ｈ，Ｈ，Ｈ同士が干渉し易く、水圧によるあばれによって干渉音が発生し易い、という問題を有していると共に、配管Ｈを１本づつ固定しなければならないため、かかる作業が非常に煩雑であり、確実に複数本の配管を整然と並べて保持させるためには、上記スペースＳを広く確保しなければならず、これでは背板１の位置を前方に移動させなければならないため、キャビネットＫの収納容量が狭められる、という問題を有していた。
【０００６】
この発明は、かかる現状に鑑み創案されたものであって、その目的とするところは、キャビネットの背板の裏側に形成された狭いスペースに複数本の配管を整然と保持することができると共に、縦方向に配管を並べることができるので、上記スペースをより小さくすることが可能となり、これにより、キャビネットの背板をより奥行側へと移動させることができるため、キャビネットの収納容量をより大きくすることができ、しかも、一つの配管保持具で複数本の配管を固定することができるので、配管の固定作業を短時間で簡単に行うことができ、この種の作業性が大幅に改善できる配管保持具を提供しようとするものである。
【課題を解決するための手段】
【０００７】
上記目的を達成するため、請求項１に記載の配管保持具は、キャビネットの背板の裏側に導かれた複数本の配管を固定する配管保持具であって、該配管保持具は、複数本の配管を縦方向に束ねて保持する複数の保持部を有して構成されていることを特徴とする。
【０００８】
請求項２に記載の発明にあっては、請求項１に記載の配管保持具を技術的前提とし、前記配管保持具は、垂直方向に少なくとも３連以上形成されていることを特徴とする。
【０００９】
請求項３に記載の発明にあっては、請求項１に記載の配管保持具材を技術的前提とし、前記配管保持具は、保持部が複数本の配管をクローバ形状に束ねて保持することが可能に構成されていることを特徴とする。
【００１０】
請求項４に記載の発明にあっては、請求項１に記載の配管保持具を技術的前提とし、前記配管保持具は、保持部が複数本の配管を、四角形状を含む多角形状に束ねて保持することが可能に構成されていることを特徴とする。
【００１１】
請求項５に記載の発明にあっては、請求項１乃至請求項４のいずれかに記載の配管保持具を技術的前提とし、前記配管保持具の保持部内周面には、クッション材が配設されていることを特徴とする。
【００１２】
請求項６に記載の発明にあっては、請求項１乃至請求項５のいずれかに記載の配管保持具を技術的前提とし、前記配管保持具の各保持部間には、所要のクリアランスが形成されていることを特徴とする
【００１３】
請求項７に記載の発明にあっては、請求項１乃至請求項６のいずれかに記載の配管保持具を技術的前提とし、前記配管保持具は、前記キャビネットの背板の裏側に形成されたスペースの床面に水平方向に回転自在な台座に固着されることを特徴とする。
【発明の効果】
【００１４】
以上説明したように、請求項１に記載の配管保持具にあっては、複数本の配管を縦方向に束ねて保持する複数の保持部を有して構成したので、キャビネットの背板の裏側に形成された狭いスペースに複数本の配管を整然と保持することができると共に、縦方向に配管を並べることができるので、上記スペースをより小さくすることが可能となり、これにより、キャビネットの背板をより奥行側へと移動させることができるため、キャビネットの収納容量をより大きくすることができ、しかも、一つの配管保持具で複数本の配管を固定することができるので、配管の固定作業を短時間で簡単に行うことができ、この種の作業性が大幅に改善できる、という効果が得られる。
【００１５】
請求項２に記載の発明にあっては、配管保持具は、垂直方向に少なくとも３連以上形成して構成したので、キャビネットの背板の裏側に形成されたスペースをさらに小さくすることができ、キャビネットの収納容量をさらに大きくすることができる。
【００１６】
請求項３及び請求項４に記載の発明にあっては、前記配管保持具の保持部が、複数本の配管を、クローバ形状、或は四角形状を含む多角形状に束ねて保持することが可能に構成されているので、複数本の配管を安定的に整然と保持することができる。
【００１７】
請求項５に記載の発明にあっては、前記配管保持具の保持部内周面に、クッション材を配設したので、保持部に配管を保持させたときに、該クッション材で管がより締め付けられるので、水圧による管のあばれ現象を有効に防止することができる。
【００１８】
請求項６に記載の発明にあっては、前記配管保持具の各保持部間に、所要のクリアランスを形成したので、配管同士の干渉を防止することができ、水圧が加わったときの管のあばれによる干渉音を有効に防止することができる。
【００１９】
請求項７に記載の発明にあっては、前記配管保持具は、前記キャビネットの背板の裏側に形成されたスペースの床面に水平方向に回転自在な台座に固着されるように構成したので、配管の導入方向（出ともいう。）に対応させることが容易となり、しかも、配管に無理な曲げを施す必要もなくなるため、配管の耐久性を向上させることができる。
【発明を実施するための最良の形態】
【００２０】
以下、添付図面に示す発明の実施例に基づき、この発明を詳細に説明する。
【実施例１】
【００２１】
図１と図２に示すように、この実施例１に係る配管保持具１０は、配管Ｈの直径よりもやや大径の保持部１１，１２，１３が垂直方向に連設されており、この半割状に形成された各保持部１１，１２，１３は、弾性を有して構成された保持具本体１５を閉じることで、各保持部１１，１２，１３が独立して配管Ｈを保持できるように構成されている。
【００２２】
そして、上記保持部１１，１２，１３の各内周面には、ゴム或はスポンジ状のクッション材１４が貼着されており、該保持部１１，１２，１３に配管Ｈを保持させたときに、該クッション材１４が管Ｈをより締め付けるので、水圧による管Ｈのあばれ現象を有効に防止することができる。
【００２３】
また、上記各保持部１１，１２，１３の間には、スペース（クリアランス）を確保するため、間隙保持片部１６が形成されている。このように構成することで、配管同士の干渉を防止することができ、水圧が加わったときの管Ｈのあばれによる干渉音を有効に防止することができる。
【００２４】
そして、上記保持具本体１５の両端部には、固定片部１７，１７が延設されており、該固定片部１７，１７には、ボルト孔１８，１８が一対づつ開設されている。
【００２５】
このように構成されてなる配管保持具１０は、キャビネットの背板の裏側に形成された幅狭のスペースの床面にビス止め固定された支持装置２０に固定される。
【００２６】
この支持装置２０は、床面にビス止め固定される台座２１と、該台座２１に回転自在に軸支された回転軸２２と、該回転軸２２の上端部に固定された連結片２３と、から構成されており、該連結片２３には、前記保持具本体１５の固定片部１７，１７に開設されたボルト孔１８，１８と同心となるボルト孔２４，２４が開設されている。
【００２７】
従って、上記保持具本体１５を支持装置２０に回転自在に固定する場合には、先ず、図１に示すように、各保持部１１，１２，１３に配管Ｈ，Ｈ，Ｈを嵌合させた後、保持具本体１５を閉じた状態で、固定片部１７，１７に開設されたボルト孔１８，１８と連結片２３のボルト孔２４，２４とを同心となるように重ね合わせ、この後、ボルト孔１８，２４にボルト２５を挿通し、ナット２６に螺着してこれらを緊締することで、配管Ｈ，Ｈ，Ｈをキャビネットの背板の裏側に垂直方向に並べて固定することができる。このとき、上記ボルト２５とナット２６の締め付け作業をキャビネットの裏側から水平方向から行うことができるので、無理な姿勢でこの種の作業を行なう必要がなくなり、この種の作業を大幅に簡略化することができる。
【００２８】
また、この実施例１に係る配管保持具１０にあっては、垂直方向に少なくとも３連以上形成して構成したので、キャビネットの背板の裏側に形成されたスペースをより小さくすることが可能となり、これにより、キャビネットの背板をより奥行側へと移動させることができるため、キャビネットの収納容量をより大きくすることができる。
【００２９】
尚、上記支持装置２０の回転軸２２は、下方向に強く押し込むことで、その回転が固定され、連結片２３の角度が、配管の出方向と合致するように固定調整することができるように構成するのが望ましい。
【実施例２】
【００３０】
図３は、この発明の実施例２を示しており、この実施例２では、実施例１の支持装置２０の台座２１に、保持具本体１５を実施例１と逆にしてその頂部を一体に連結すると共に、前記固定片部１７，１７を上部に配設し、ボルト孔１８を１個とし、保持具本体１を回転不能に構成した他は、他の構成・作用・効果は実施例１と同様であるので、図面には実施例１と同一の符号を付して、その詳細な説明をここでは省略する。
【００３１】
このように構成することで、この実施例２に係る配管保持具１０にあっては、実施例１の配管保持具１０と比較して、部品点数が少なく、低コストで提供することができる。
【実施例３】
【００３２】
図４は、この発明の実施例３を示しており、この実施例３では、保持部１１，１２を水平方向に並べて保持すると共に、これら保持部１１，１２の間の上部に保持部１３を連設し、配管をクローバ形状に束ねて保持するように構成した他は、他の構成・作用・効果は実施例１と同様であるので、図面には実施例１と同一の符号を付して、その詳細な説明をここでは省略する。
【００３３】
それ故、この実施例３に係る配管保持具１０にあっては、前記スペースの高さ寸法が低い場合であっても、３本の配管を狭いスペースでも効率的に、かつ、安定的に整然と保持することができる。
【００３４】
尚、この発明にあっては、配管を四角形状に束ねて保持することができるように構成することもでき、さらには、４本以上を多角形状に束ねて保持することができるように構成しても構わない。
【００３５】
尚、上記各実施例では、この発明を流し台の配管に適用した場合を例にとり説明したが、この発明にあってはこれに限定されるものではなく、例えば、洗面台等の配管にも用いることができることは勿論である。
【図面の簡単な説明】
【００３６】
【図１】この発明の実施例１に係る配管保持具に配管を保持させた状態を示す斜視図である。
【図２】同配管保持具の分解斜視図である。
【図３】この発明の実施例２に係る配管保持具の構成を示す斜視図である。
【図４】この発明の実施例３に係る配管保持具の構成を示す斜視図である。
【図５】従来の流し台における配管例を示す斜視説明図である。
【図６】従来の流し台の配管状態を拡大して示す説明図である。
【符号の説明】
【００３７】
Ｈ  配管
Ｋ  キャビネット
Ｓ  スペース
１  背板
１０  配管保持具
１１，１２，１３  保持部
１４  クッション材
１５  保持具本体
１６  間隙保持片部
１７  固定片部
１８  ボルト孔
２０  支持装置
２１  台座
２２  回転軸
２３  連結片
２４  ボルト孔
【図１】
2007009978.tif 000003
【図２】
2007009978.tif 000004
【図３】
2007009978.tif 000005
【図４】
2007009978.tif 000006
【図５】
2007009978.tif 000007
【図６】
2007009978.tif 000008